(57)【要約】【課題】  梱包箱が逆さま或いは横倒しになっても苗が転倒や傾倒せず、転倒や傾倒による苗の折損を防止可能な梱包箱と、その梱包箱で梱包した梱包苗を提供する。【解決手段】  物品を収容可能な収容空間と、収容空間に収容する物品を載置できる載置部と、載置部に物品を出し入れできる開口部と、開口部を開閉可能な開閉蓋を備えた直方体の梱包箱において、前記載置部を挟んで対向する押し片と支持片を備え、前記押し片は載置部の開口部側に立設され、支持片は載置部よりも奥側に立設されて、当該押し片と支持片は載置部を挟んで対向し、前記押し片と支持片は載置部に載置した物品を圧迫挟持し、前記開閉蓋は前記押し片の外から開口部を閉塞することができるようにした梱包箱である。この梱包箱は段ボールを折り曲げて形成することもできる。【選択図】図１
2015198593.tif 000002
【特許請求の範囲】
【請求項１】
物品を収容可能な収容空間と、収容空間に収容する物品を載置できる載置部と、載置部に物品を出し入れできる開口部と、開口部を開閉可能な開閉蓋を備えた直方体の梱包箱において、
前記載置部を挟んで対向する押し片と支持片を備え、
前記押し片は載置部の開口部側に立設され、支持片は載置部よりも奥側に立設されて、当該押し片と支持片は載置部を挟んで対向し、
前記押し片と支持片は載置部に載置した物品を圧迫挟持し、
前記開閉蓋は前記押し片の外から開口部を閉塞することができる、
ことを特徴とする梱包箱。
【請求項２】
請求項１記載の梱包箱において、
載置部の横幅は、載置部に載置した一つの物品の横幅又は二以上横に並べた物品の合計横幅より狭く設定されて、載置部に載置した物品の外側部分が載置部から開口部側にはみ出すようにし、
押し片は載置部からはみ出した物品の外側部分を載置部内に押し込むことができる、
ことを特徴とする梱包箱。
【請求項３】
請求項１又は請求項２記載の梱包箱において、
押し片と支持片の先端側が共に収容空間内に斜め傾斜に突設して、両先端側の間隔が押し片と支持片の根元側の間隔よりも狭くし、それら両先端側が押し片と支持片の根元側で圧迫挟持されている物品側に接近する、
ことを特徴とする梱包箱。
【請求項４】
請求項１から請求項３のいずれか１項に記載の梱包箱において、
開閉蓋と押し片が互いに係止可能な規制部を備え、両規制部の係止により押し片が外側に広がるのが規制されて、押し片と支持片による物品の圧迫挟持が保持される、
ことを特徴とする梱包箱。
【請求項５】
請求項１から請求項４のいずれか１項に記載の梱包箱において、
押し片に押し突起を形成し、この押し突起でポットを支持板側に押すことができる、
ことを特徴とする梱包箱。
【請求項６】
請求項１から請求項５のいずれか１項に記載の梱包箱において、
梱包箱が段ボール製の折り畳み箱であり、
一枚の段ボールが底板、上板、左側板、右側板、背板、蓋板を備え、
前記段ボールを折り畳むことにより、それら底板、上板、左側板、右側板、背板の内側に物品を収容可能な収容空間が形成され、背板と反対側に収容空間に物品を出し入れできる開口部が形成され、底板の内面が物品を載置できる載置部と設定され、
前記背板は底板、上板、左右の側板のそれぞれに連続して一枚ずつ計四枚設けられ、それら四枚のうち対向する二枚の内側背板を開口部側に折曲げ、その外側に、対向する二枚の外側背板を重ねて折り曲げることにより背面が形成され、この二枚の内側背板のうち底板側の内側背板が支持片となり、
前記蓋板は底板、上板、左右の側板の開口部側の各辺のそれぞれと連続して一枚ずつ計四枚設けられ、それら四枚のうち対向する二枚の内側蓋板を開口部側に折曲げ、その外側に、他の対向する二枚の外側蓋板を折り重ねて開口部を閉塞することができ、この二枚の内側蓋板のうち底板側の内側蓋板が押し片となり、
前記押し片と支持片で前記載置部に載置された物品を圧迫挟持できる、
ことを特徴とする梱包箱。
【請求項７】
請求項６記載の梱包箱において、
外側蓋板に押し込み片を設けて外側蓋板の規制部とし、内側蓋板に差し込み口を設けて内側蓋板の規制部とし、
前記押し込み片を前記差し込み口内に押し込んで両者が互いに係止して、押し片となる内側蓋板の外側への広がりが規制されて押し片と支持片の間隔が保持され、両片による物品の圧迫挟持が確保される、
ことを特徴とする梱包箱。
【請求項８】
請求項６又は請求項７記載の梱包箱において、
押し片となる内側蓋板を折り曲げて押し片に押し突起を形成し、この押し突起でポットを支持板側に押すことができるようにした、
ことを特徴とする梱包箱。
【請求項９】
ポットで栽培された苗を梱包箱で梱包してなる、苗の梱包構造において、
苗が請求項１から請求項８のいずれか１項に記載の梱包箱の載置部に載置され、支持片と押し片で圧迫挟持されて梱包された、
ことを特徴とする梱包苗。
【請求項１０】
請求項９記載の梱包苗において、
苗が、二以上連結されたソイルブロックのそれぞれに育苗された苗（連結ポット苗）であり、それが、連続状態で梱包箱の載置部に載置されて梱包された、
ことを特徴とする梱包苗。
【請求項１１】
請求項９又は請求項１０記載の梱包苗が、更に外箱に所望数収納された、
ことを特徴とする梱包苗。
【発明の詳細な説明】
【技術分野】
【０００１】
本発明は各種物品、特に、育苗用の軟質ポリポット、硬質ポット、土を固めた成型した育苗ブロック（ソイルブロック）、植木鉢等（以下まとめて「ポット」という。）で栽培中の苗の搬送や輸送（以下まとめて「輸送」という。）に適した梱包箱と、その梱包箱で包装（梱包）された梱包苗に関する。
【背景技術】
【０００２】
苗は段ボール箱などの梱包箱に梱包されて出荷される。輸送に際しては苗が傷まないように細心の注意が払われているが、トラックでの輸送中の振動や荷物の積み降ろし時に梱包箱が倒れたり落下したりすると、苗が梱包箱内で横倒し或いは上下逆転して、苗が傷んだり折れたり、ポット内の土が梱包箱内こぼれ出たりすることがあった。
【０００３】
従来、輸送中の苗の保護のために中仕切りが提案されている（特許文献１）。この中仕切りは、梱包箱に収容した苗の上方に被せるものであり、その中仕切りの上に更に別の苗を並べて（重ねて）収容できるように構成されている。
【先行技術文献】
【特許文献】
【０００４】
【特許文献１】特開２０１０−２００６５０号公報
【発明の概要】
【発明が解決しようとする課題】
【０００５】
折れた苗は正常品として販売することができず廃棄処分される。傷んだ苗は売れ行きがおもわしくない。また販売されても定植後或いは植付け後の生育がおもわしくない。このため、苗の損傷は育苗業者にとっても、苗販売店にとっても解決が望まれる重要な問題である。
【０００６】
本発明の解決課題は、梱包箱が横倒し或いは上下逆さまになっても苗が箱内で傷んだり、折れたりしにくく、苗の折損を防止することのできる梱包箱と、その梱包箱で梱包された梱包苗を提供することにある。
【課題を解決するための手段】
【０００７】
本発明の梱包箱は、物品を収容可能な収容空間と、収容空間に収容する物品を載置できる載置部と、載置部に物品を出し入れできる開口部（出し入れ口）と、開口部を開閉可能な開閉蓋を備えた直方体の梱包箱において、前記載置部を挟んで対向する押し片と支持片を備え、前記押し片は載置部の開口部側に立設され、支持片は載置部よりも奥側に立設されて、当該押し片と支持片は載置部を挟んで対向し、前記押し片と支持片は載置部に載置した物品を圧迫挟持し、前記開閉蓋は前記押し片の外から開口部を閉塞することができるようにしてある。
【０００８】
本発明の梱包箱は、前記梱包箱において、載置部の横幅は、載置部に載置した一つの物品の横幅又は二以上横に並べた物品の合計横幅より狭く設定して、載置部に載置した物品の外側部分が載置部から開口部側にはみ出すようにし、押し片は載置部からはみ出した物品を載置部内に押し込むことができるようにすることもできる。
【０００９】
本発明の梱包箱は、前記梱包箱において、押し片と支持片の先端側が共に収容空間内に斜め傾斜に突設して、両先端側の間隔が押し片と支持片の根元側の間隔よりも狭くし、それら両先端側が押し片と支持片の根元側で圧迫挟持されている物品側に接近するようにすることもできる。
【００１０】
本発明の梱包箱は、前記梱包箱において、開閉蓋と押し片が互いに係止可能な規制部を備え、両規制部の係止により押し片が外側に広がるのが規制されて、押し片と支持片による物品の圧迫挟持が保持されるようにすることもできる。
【００１１】
本発明の梱包箱は、前記梱包箱において、押し片に押し突起を形成し、この押し突起で物品が支持板側に押されるようにすることもできる。
【００１２】
本発明の梱包箱は、前記梱包箱において、梱包箱が段ボール製の折り畳み箱であり、一枚の段ボールが底板、上板、左側板、右側板、背板、蓋板を備え、前記段ボールを折り畳むことにより、それら底板、上板、左側板、右側板、背板の内側に物品を収容可能な収容空間が形成され、背板と反対側に収容空間に物品を出し入れできる開口部が形成され、底板の内面が物品を載置できる載置面と設定され、前記背板は底板、上板、左右の側板のそれぞれに連続して一枚ずつ計四枚設けられ、それら四枚のうち対向する二枚の内側背板を開口部側に折曲げ、その外側に、対向する二枚の外側背板を重ねて折り曲げることにより背面が形成され、この二枚の内側背板のうち底板側の内側背板が支持片となり、前記蓋板は底板、上板、左右の側板の開口部側の各辺のそれぞれと連続して一枚ずつ計四枚設けられ、それら四枚のうち対向する二枚の内側蓋板を開口部側に折曲げ、その外側に、他の対向する二枚の外側蓋板を折り重ねて開口部を閉塞することができ、この二枚の内側蓋板のうち底板側の内側蓋板が押し片となり、前記押し片と支持片で前記載置部に載置された物品を圧迫挟持できるようにすることもできる。
【００１３】
本発明の梱包箱は、前記梱包箱において、外側蓋板に押し込み片を設けて外側蓋板の規制部とし、内側蓋板に差し込み口を設けて内側蓋板の規制部とし、前記押し込み片を前記差し込み口内に押し込んで両者が互いに係止して、押し片となる内側蓋板の外側への広がりが規制されて押し片と支持片の間隔が保持され、両片による物品の圧迫挟持が確保されるようにすることもできる。
【００１４】
本発明の梱包箱は、前記梱包箱において、押し片となる内側蓋板を折り曲げて押し片に押し突起を形成し、この押し突起で苗を支持板側に押すことができるようにすることもできる。
【００１５】
本発明の梱包苗は、ポットで栽培された苗を梱包箱で梱包してなる梱包苗において、苗が前記いずれか１項に記載の梱包箱の載置部に載置され、支持片と押し片で圧迫挟持されて梱包されたものである。本発明の梱包苗は、二以上連結されたソイルブロックのそれぞれに育苗した苗（連結ポット苗）を本発明の梱包箱に梱包したものであってもよい。本発明の梱包箱に梱包した梱包苗は更に外箱に所望数収納することもできる。
【発明の効果】
【００１６】
本発明の梱包箱は次の効果を奏する。
（１）載置部に物品を載置して蓋を閉じるだけで物品を梱包できるので、梱包作業が容易である。
（２）載置部の奥行寸法を一又は横に並べた二以上の物品の横幅よりも狭くして、載置部に載置された物品が載置部の横幅方向外側にはみ出すようにした場合は、そのはみ出し部分を押し片で押し込んで、押し片と支持片で物品を挟持できるため、物品が確実に挟持され、梱包箱が横倒し或いは上下逆さまになっても（乱暴に扱われても）物品が梱包箱内で殆ど移動せず、損傷しにくくなる。物品が苗の場合は苗の損傷が殆どない。
（３）内側蓋板とその外側に被さる外側蓋板に設けた規制部を互いに係止することにより押し片となる内側蓋板が外側に広がらず、苗が押し片と支持片で挟持され続け、傷んだり、折れたりし難くなる。
（４）押し片と支持片の先端側が共に収容空間の内側に斜めに傾斜して、両先端側が物品の上方に被さって当該物品の位置ずれを規制できるようにすれば、物品の損傷、特に、物品が苗の場合は、苗の損傷がほとんどない。
【００１７】
本発明の梱包苗は、前記梱包箱で梱包されているため、苗が確実に挟持され、梱包箱が横倒し或いは上下逆さまになっても、苗が梱包箱内で殆ど移動せず、損傷しにくくなる。
【図面の簡単な説明】
【００１８】
【図１】（ａ）（ｂ）は本発明の梱包箱の異なる例を示す斜視図。
【図２】図１に示す梱包箱の使用方法の一例を示すものであって、（ａ）は梱包箱の載置部に苗を載置する場合の縦断面説明図、（ｂ）は載置部への苗の載置後に内側蓋板を内向きに折り曲げた場合の縦断面説明図、（ｃ）は外側蓋板を閉じた場合の縦断面説明図。
【図３】（ａ）（ｂ）は図１（ａ）に示す梱包箱が折り畳み式の場合の異なる例の展開図。
【図４】（ａ）〜（ｅ）は図２に示す折り畳み式梱包箱の組立図。
【図５】図１に示す梱包箱の内側蓋板の折り曲げ説明図。
【図６】図１に示す梱包箱の押込み片と差し込み口の係止説明図。
【図７】苗を梱包した本発明の梱包箱を、外箱に収容する場合の一例を示す斜視図。
【図８】本発明の梱包箱の他例を示すものであって、（ａ）は斜視図、（ｂ）は内側蓋板を内向きに折り曲げた場合の縦断面説明図、（ｃ）は外側蓋板を閉じた場合の縦断面説明図。
【図９】図７に示す梱包箱の使用方法の一例を示すものであって、（ａ）は梱包箱の載置部に苗を載置する場合の縦断面説明図、（ｂ）は載置部への苗の載置後に内側蓋板を向きに折り曲げた場合の縦断面説明図、（ｃ）は外側蓋板を閉じた場合の縦断面説明図。
【図１０】本発明の梱包箱の他例を示すものであって、（ａ）は内側蓋板を折り曲げる前の斜視図、（ｂ）は内側蓋板を折り曲げて内側蓋板の嵌合突起と側板の嵌合孔を係止した状態を示す斜視図。
【図１１】本発明における苗の他例（ソイルブロックに育苗中の苗）であり、（ａ）は斜視図、（ｂ）は断面図。
【発明を実施するための形態】
【００１９】
（実施形態１）
本発明の梱包箱の実施形態を図１〜図７を参照して説明する。図１（ａ）（ｂ）に本発明の梱包箱１の斜視図を、図２（ａ）〜（ｃ）に苗Ｏを梱包する場合の使用図を、図３（ａ）（ｂ）に梱包箱を段ボール製の折畳み式とする場合の段ボールの展開図を、図４（ａ）〜（ｅ）にその組立図を、図５に図４（ｅ）のように組み立てた梱包箱の使用説明図を、図６に規制部の係止状態の説明図を、図７に梱包後の梱包箱を外箱に収納する場合の説明図を示す。
【００２０】
この実施形態は育苗用の軟質ポリポット、硬質ポット、土を固めた成型した育苗ブロック（図１１（ａ）（ｂ））、植木鉢等のポットで栽培中の苗Ｏ（図２（ａ））を梱包する場合を一例として説明するが、本発明の梱包箱１は苗Ｏ以外の各種物品を梱包可能である。軟質ポリポット、硬質ポット、植木鉢等は汎用品であってもよく、新規製品であってもよい。育苗ブロックは本件発明者が先に発明した育苗ブロック（特願２０１４−５０５４４５号）であっても、それ以外の育苗ブロックであってもよい。この実施形態の梱包箱１は段ボール製の折り畳み式の場合を一例として説明するが、本発明の梱包箱はこれに限らず他の材質製、他の構造（組み立て式以外）とすることもできる。
【００２１】
本発明の梱包箱１は図１（ａ）（ｂ）、図２（ａ）〜（ｃ）に示すように前面開口の縦向き直方体の箱であり、底板２、上板３、左右の側板４ａ、４ｂ、四枚の背板５ａ〜５ｄを備え、それらの内側に収容空間６を備え、収容空間６の前面に開口部７があり、その開口部７を四枚の蓋板８ａ〜８ｄで開閉可能としてある。この梱包箱１は図１（ａ）（ｂ）、図２（ａ）〜（ｃ）に示すように支持片９と押し片１０を備えている。押し片１０は収容空間６内に収容された育苗中のポットＰを収容空間６の内側に押し込むものであり（図２（ｂ））、支持片９は押し込まれたポットＰを支持して押し片１０との間にポットＰをその側方から圧迫して保持（圧迫挟持）する（図２（ｃ））ことができる。この実施形態では前記四枚の背板５ａ〜５ｄのうち下方の内側背板５ａを支持片９とし、前記四枚の蓋板８ａ〜８ｄのうち下方の内側蓋板８ａを押し片１０としてある。内側背板５ａ、内側蓋板８ａの長さ（内側背板５ａによる支持片９の高さ、内側蓋板８ａによる押し片１０の高さ）は圧迫挟持する苗Ｏの背丈あるいはポットＰの高さに合わせて、任意に調節することができる。
【００２２】
一例として図２（ａ）〜（ｃ）、図７に示す収容空間６の広さは、苗Ｏを育苗中のポットＰを底板２の横幅方向に二列に並べ、前後方向に５個並べて収納できる広さにしてあるが、その横幅の広さ、前後の広さは、ポットＰを一列５個、一列１０個、三列５個といった所望数、所望列収納できる広さとすることができる。
【００２３】
［段ボール］
図1（ａ）の梱包箱１は図３に示すように型抜きされている段ボール２０を折り曲げて組み立てることができる。図３に示す段ボール２０は同図の上方から下方に順に、底板２、側板４ａ、上板３、側板４ｂが一列に連接され、それぞれの板の幅方向一側方（図３の右側）に、同図の上方から下方に順に、背面フラップ（背板）５ａ、５ｃ、５ｂ、５ｄが連接され、幅方向他側方（図３の左側）に、同図の上方から下方に順に、蓋フラップ（蓋板）８ａ、８ｃ、８ｂ、８ｄが連設されている。一方の側板４ｂの端部には貼付け片２１が突設され、底板２に糊代部２２が形成され、上板３には指を差し込んで梱包箱１を持つことのできる差し込み孔２３が二つ開口されている。
【００２４】
図３（ａ）の蓋板８ｃと８ｄのそれぞれにはＬ字状の切り込み２４が入れられ、その切り込み２４の内側に鉤型の押し込み片２５ａ、２５ｂが形成されている。この押し込み片２５ａ、２５ｂは図６のように外側から内側（矢印方向）へ押し出し可能である。図３（ａ）の蓋板８ａには側面開放の差込み口２６ａ、２６ｂ（図１（ａ）、図３（ａ））が形成されている。この差し込み口２６ａ、２６ｂに前記押し込み片２５ａ、２５ｂを図６のように差し込み可能である。これら押し込み片２５ａ、２５ｂと差し込み口２６ａ、２６ｂが規制部３０となる。差し込み口２６ａ、２６ｂは図１（ｂ）、図３（ｂ）のように四角形の孔とすることもできる。
【００２５】
［段ボールによる梱包箱の組立］
図３のように型抜きされた段ボール２０は図４（ａ）〜（ｅ）に示す手順で折り曲げて梱包箱１を組み立てることができる。
（１）図４（ａ）〜（ｄ）のように、段ボール２０の折り曲げ部（谷折り線）２７、２８、２９（図３）を内側に曲げて、底板２、上板３、左右の側板４ａ、４ｂを方形リング状にし、側板４ｂの貼付け片２１を底板２の糊代部２２に糊付けして方形リング状に組み立てる。
（２）図４（ｄ）のように対向する内側背板５ａ、５ｂを内側に折り曲げ、その外側に、対向する外側背板５ｃ、５ｄを折り重ね、外側背板５ｃ、５ｄの突き合わせ部分の外側にテープ３２を貼って背面を組み立てる（閉塞する）。これら底板２、上板３、左右の側板４ａ、４ｂ、背板５ａ〜５ｄで囲われた内側空間が収容空間６（図２（ａ）〜（ｃ））となり、開口部（出し入れ口）７の口縁に連接する内側蓋板８ａ、８ｂを内側に折り曲げ（図２（ｂ））、その外側から外側蓋板８ｃ、８ｄを折り重ねる（図２（ｃ））ことにより開口部７を閉じることができる。この場合、図２（ｃ）の内側背板５ａが支持片９となり、下方の内側蓋板８ａが押し片１０となる。この場合も、内側背板５ａ、内側蓋板８ａの長さ（内側背板５ａによる支持片９の高さ、内側蓋板８ａによる押し片１０の高さ）は圧迫挟持する苗Ｏの背丈あるいはポットＰの高さに合わせて、任意に調節することができる。
【００２６】
（使用例１）
実施形態１に示す梱包箱１による苗Ｏの梱包例を、図７を参照して説明する。図７は底板２の横幅方向にポットＰを二列に並べ、底板２の前後方向に５個並べて梱包する場合であり、以下の手順で梱包することができる。
（１）図２（ａ）に示すように、ポットＰを開口部７から底板２の内面（載置部２ａ）に横２列、前後５列に縦向き（苗が上向き）に並べる。このとき、横列、縦列の隣接するポットＰ間に隙間ができないように密に並べる。ポットＰの横幅サイズは横２列に並べて載置部２ａに載せたとき、外側列のポットＰの外側が底板２の外側（収容空間６の外側）にはみ出す程度が好ましい。
（２）図２（ｂ）に示すように、二枚の内側蓋板８ａ、８ｂ（図２（ａ）（ｂ））を内側に曲げる。このとき、底板２の外側にはみ出している外側列のポットＰを下方の内側蓋板８ａ（押し片１０）で内側に押し込んで収容空間６内に収めると共に開口部７を上下から閉じる。また、この内側蓋板８ａ（押し片１０）と、予め、内側に折り曲げてある内側背板５ａ（支持片９）との間に２列のポットＰを縦向きに挟持する。
（３）図２（ｃ）に示すように、二枚の外側蓋板８ｃ、８ｄを内側に折り曲げて前記二枚の内側蓋板８ａ、８ｂの外側に重ねると共にて開口部７を左右から閉じる。
（４）図６に示すように、左右の外側蓋板８ｃ、８ｄの押し込み片２５ａ、２５ｂを内側に押し込んで、下方の内側蓋板８ａ（押し片１０）の二つの差し込み口２６ａ、２６ｂ（図３）のそれぞれに差し込んで、図６のように押し込み片２５ａの横縁３４と差し込み口２６ａの上縁３５を係止させる。同様にして、差し込み口２６ｂに差し込んだ押し込み片２５ｂの横縁３４と差し込み口２６ｂの上縁３５を係止させて、支持片９が外側のポットＰで押されても、内側蓋板８ａ（押し片１０）が押し戻されて開くことがなく、押し片１０と支持片９とによる２列のポットＰの圧迫挟持を保持できるようにする。その後、両外側蓋板８ｃ、８ｄの突き合わせ部に接着テープを貼って固定して箱詰（梱包）を完了する。  図６の場合、差し込み口２６ａ、２６ｂが側面開放であるため、差し込み口２６ａ、２６ｂに差し込んだ押し込み片２５ａ、２５ｂが側面開放部から外側に外れやすくなることがあるが、押し込み片２５ａ、２５ｂを四角形の差し込み口２６ａ、２６ｂ（図１（ｂ）、図３（ｂ））の四角形の差し込み口２６ａ、２６ｂのそれぞれに差し込むことにより、押し込み片２５ａ、２５ｂが差し込み口２６ａ、２６ｂから外れ（抜け）にくくなる。
【００２７】
前記（１）〜（４）の要領で梱包されて押し片１０と支持片９とによって確実に圧迫強維持された苗Ｏは、梱包箱１が横倒しになっても逆さになっても、押し片１０と支持片９の間から抜け出す（飛び出す）ことはなく、ポットＰ内の土が多少、梱包箱１内にこぼれ出ることはあっても、苗Ｏの葉や茎が損傷したり折れたりすることはほとんどない。また、内側に折り曲げてある内側蓋板８ａ（押し片１０）と内側背板５ａ（支持片９）の先端側は収容空間６内に斜めに突設されているためポットＰの挟持が一層確実になる。内側蓋板８ａの折り曲げ部（谷折り線）３１（図３）を図２（ｃ）のように内側に折り曲げると、内側蓋板８ａの先端側が内側向きになってポットＰの開口部の上方に被さりやすくなる。
【００２８】
梱包し終えた梱包箱１はそのまま出荷したり、トラックに積み込んで輸送したりすることができるが、図７のように外箱３３に一以上を収納することもできる。この場合も梱包箱１を縦向き（梱包箱１内のポット苗Ｏが上向き）になるように収納する。図７は梱包箱１を二つ収納する場合であるが、収納する梱包箱１の数は所望数とすることができる。梱包箱１の持ち運び、外箱３３への出し入れは、上板３の差し込み孔２３（図７）に指を差し込んで行うことができる。
【００２９】
（実施形態２）
実施形態１では図３（ａ）（ｂ）に示すように、差し込み口２６ａ、２６ｂを方形状とし、押し込み片２５ａ、２５ｂをＬ字状の鉤型にしてあるが、これらの形状及び構造は、相互に嵌合係止して内側蓋板８ａの外側への広がりを防止して、両者の係止が外れないようにできる形状及び構造であれば図示した以外であってもよい。また、差し込み口２６ａ、２６ｂと押し込み片２５ａ、２５ｂの数は一つでも三つ以上であってもよい。上板３の切り込み２４の形状や数、配置などはこれ以外であってもよい。場合によっては設けなくてもよい。ポット苗Ｏは各種サイズのものを用意することができるが、いずれの場合も、ポットＰの外側が底板２からはみ出すサイズが好ましい。
【００３０】
（実施形態３）
本発明の梱包箱１の他例を図８及び図９を参照して説明する。図８、図７に示す梱包箱１の基本的構造は前記実施形態１の梱包箱１と同様である。異なるのは、押し片１０となる内側蓋板８ａの構造である。以下の説明では実施形態１と同じ部分については同じ符号を付すると共に、その説明を省略する。
【００３１】
この実施形態では図８（ａ）に示すように内側蓋板８ａに二本の折り曲げ部４０、４１を設け、それら折り曲げ部４０、４１を図８（ｂ）に示すように内側に曲げて、下向き三角形の押し突起４２を形成し、この押し突起４２で図９（ｂ）のようにポットＰを支持片９側に押すことができるようにしたものである。この実施形態では内側蓋板８ａを底板２側に内向き傾斜に折り返してポットＰと密接するようにしてあるため、実施形態１のような差し込み口２６ａ、２６ｂと押し込み片２５ａ、２５ｂの係止による規制がなくても、内側蓋板８ａが押し戻されることがない。押し突起４２の形状は、図示した以外の形状であってもよい。また、内側蓋板８ａに他の部材、例えば段ボール製、樹脂製等を貼り付けて形成することもできる。
【００３２】
（使用例２）
実施形態２に示す梱包箱１の使用例を、図９（ａ）〜（ｃ）を参照して説明する。前記使用例１と同様、この使用例も、二以上の苗Ｏを２列に並べて収容する場合の例である。
（１）図９（ａ）に示すように、苗Ｏを梱包箱１の開口部７から載置部２ａに載置して収容空間６内に収容する。
（２）苗Ｏを収容後、図９（ｂ）に示すように、内側蓋板８ａを折り曲げ部４０、４１から内側に折り曲げて、下向き三角形の押し突起４２を形成する。この場合、底板２の外側にはみ出したポットＰを前記押し突起４２で内側に押し込む。
（３）内側に折り曲げた前記内側蓋板８ａ、８ｂの外側から外側蓋板８ｃ、８ｄを内向きに折り曲げ、両外側蓋板８ｃ、８ｄの突き合わせ部分に接着テープを貼って箱詰めを完了する。
【００３３】
（実施形態４）
この実施形態４は基本的には実施形態１と同じ構造であり、異なるのは、図１０（ａ）（ｂ）に示すように、内側蓋板８ａの幅方向両側面に、外向きに突出する嵌合突起４３を設け、左右の側板４ａ、４ｂに嵌合孔４４を設けて、その嵌合孔４４に前記嵌合突起４３を差し込んで、側板４ａ、４ｂの外側への開きを規制（阻止）できるようにしたことである。
【００３４】
（梱包苗）
本発明の梱包苗は、ポットＰで育苗されている苗Ｏを、前記梱包箱１内に図７のように梱包したものである。本発明の梱包箱に梱包した梱包苗は、更に、外箱３３に所望数（図７では二個）収納することもできる。本発明における苗Ｏの一例として図１１（ａ）（ｂ）に示すものは、ソイルブロックに育苗中の苗である。このソイルブロック（ポット）Ｐは成形用土に水分を加えて練って、ブロック状に圧縮成形して固めたブロック本体５０に、その上面に開口する有底の作業穴５１が形成され、その作業穴５１内に栽培用土（ピートモス、ブラックピートモス、赤玉土、腐葉土、それら二種類以上を混合したもの等）５２が充填されている栽培用土充填済みソイルブロックである。ブロック本体５０は成形用土であるピートモスを水と混ぜて練り、ブロック状に押し固める（圧縮成形する）とか、成形用土に接着剤、固着剤などのバインダーを加え、必要に応じて養分（肥料）を含ませて成型したものである。ブロック本体５０は積み重ねても潰れにくく、型崩れしにくく、作業穴５１が閉塞しにくく、成形後の形状を自己保持できる固さであり、植え込み作業時に後加工し難い程度の固さに圧縮成形されて固化されていることが望ましい。ブロック本体５０の直径、ブロック本体５０の高さがいずれであっても、作業穴５１の直径はブロック本体５０の直径の７分の４程度以下、作業穴５１の深さはブロック本体高さの４分の３程度としてある。一例として、ブロック本体５０の直径35mm、高さ40mmの場合、穴径10〜25mm、穴の深さ10〜30mm程度とすることができるで。ブロック本体５０は二個以上が連結されたものであってもよい。本発明の梱包苗は連結されている二以上のブロック本体５０のそれぞれで苗Ｏを育苗し、その連結ポットＰを連結されているまま、本発明の梱包箱に梱包したものであってもよい。この場合は、一つずつ個別のブロック本体５０を梱包する場合よりも一ずれしにくくなり、苗が損傷しにくくなる。
【産業上の利用可能性】
【００３５】
本発明の梱包箱は苗Ｏ以外の他の各種物品の梱包、輸送に利用することができ、特に壊れやすい物品の梱包、輸送に利用するのに適する。
【符号の説明】
【００３６】
１    梱包箱
２ａ  載置部
２    底板
３    上板
４ａ、４ｂ    （左右の）側板
５ａ、５ｂ    （内側）背板
５ｃ、５ｄ    （外側）背板
６    収容空間
７    開口部（出し入れ口）
８ａ、８ｂ    （内側）蓋板
８ｃ、８ｄ    （外側）蓋板
９    支持片
１０    押し片
２０    段ボール
２１    貼付け片
２２    糊代部
２３    差し込み孔
２４    切り込み
２５ａ、２５ｂ    押し込み片
２６ａ、２６ｂ    差し込み口
２７〜２９    折り曲げ部（谷折り線）
３０    規制部
３１    折り曲げ部（谷折り線）
３２    テープ
３３    外箱
３４    （押し込み片の）横縁
３５    （差し込み口の）上縁
４０、４１    折り曲げ部
４２    押し突起
４３    嵌合突起
４４    嵌合孔
５０    ブロック本体
５１    作業穴
５２    栽培用土
Ｏ    苗
Ｐ    ポット
【図１】
2015198593.tif 000003
【図２】
2015198593.tif 000004
【図３】
2015198593.tif 000005
【図４】
2015198593.tif 000006
【図５】
2015198593.tif 000007
【図６】
2015198593.tif 000008
【図７】
2015198593.tif 000009
【図８】
2015198593.tif 000010
【図９】
2015198593.tif 000011
【図１０】
2015198593.tif 000012
【図１１】
2015198593.tif 000013